(57)【特許請求の範囲】
【請求項１】
音を放音する２つの放音部と、前記２つの放音部を支持し複数の弧状部材を有するヘッドバンドと、を備え、
前記ヘッドバンドには、前記弧状部材を互いに連結する制振部材が前記弧状部材の両端部の間に複数個配置されている
ことを特徴とするヘッドホン装置。
【請求項２】
請求項１に記載のヘッドホン装置において、
前記制振部材は、弾性体を有する
ことを特徴とするヘッドホン装置。
【請求項３】
請求項２に記載のヘッドホン装置において、
前記弾性体は、合成ゴムまたは天然ゴムからなる
ことを特徴とするヘッドホン装置。
【請求項４】
請求項１ないし請求項３のいずれか１項に記載のヘッドホン装置において、
前記制振部材は、略直方体の制振材本体を備え、前記制振材本体は、前記複数の弧状部材が配置される端面と、前記端面と直交する略矩形の平面とを有し、前記平面は、前記複数の弧状部材の長手方向に対して直角である
ことを特徴とするヘッドホン装置。
【請求項５】
請求項１ないし請求項４のいずれか１項に記載のヘッドホン装置において、
前記制振部材は、前記弧状部材の長さをＮ（Ｎは３または４）分割する点から前記弧状部材の弧の長さの±１／１６以内となるように配置されている
ことを特徴とするヘッドホン装置。
【請求項６】
請求項１ないし請求項４のいずれか１項に記載のヘッドホン装置において、
前記制振部材は、前記弧状部材の長さをＮ（Ｎは３以上の整数）分割する点を含んで配置されている
ことを特徴とするヘッドホン装置。
【請求項７】
請求項５または請求項６に記載のヘッドホン装置において、
前記Ｎは３である
ことを特徴とするヘッドホン装置。
【請求項８】
請求項７に記載のヘッドホン装置において、
前記制振部材は、前記弧状部材の端部から６０．３ｍｍ以上４０．３ｍｍ以下の間の位置に配置されている
ことを特徴とするヘッドホン装置。
【請求項９】
請求項４ないし請求項８のいずれか１項に記載のヘッドホン装置において、
前記制振部材と前記弧状部材の表面とが密着している
ことを特徴とするヘッドホン装置。
【請求項１０】
請求項１ないし請求項９のいずれか１項に記載のヘッドホン装置において、
前記弧状部材は２本である
ことを特徴とするヘッドホン装置。
【請求項１１】
請求項１ないし請求項１０のいずれか１項に記載のヘッドホン装置において、
前記弧状部材は板状である
ことを特徴とするヘッドホン装置。
【発明の詳細な説明】
【技術分野】
【０００１】
本発明は、ヘッドホン装置に関する。
【背景技術】
【０００２】
音を放音する２つのスピーカユニットやヘッドホンユニットと称される放音部と、これらの放音部を支持するヘッドバンドとを備えたヘッドホン装置が知られている。
このヘッドホン装置として、略逆Ｕ字状に形成されたヘッドバンドと、ヘッドバンドの両端部にそれぞれ取り付けられるヘッドホンユニットとを有する従来例がある（特許文献１）。
【０００３】
特許文献１の従来例では、ヘッドバンドは、それぞれ弾性変形可能な２本の棒状部材から構成されている。
ヘッドバンドは、使用者の頭の形状に合わせて逆Ｕ字状とされており、その両端部にそれぞれ取り付けられた一対のヘッドホンユニットに耳の方向に力を与えることができる。このヘッドバンドは簡単な構造でしかも軽いという利点を有する。
【先行技術文献】
【特許文献】
【０００４】
【特許文献１】特開平６−２９２２８９号公報
【発明の概要】
【発明が解決しようとする課題】
【０００５】
特許文献１の構成では、ヘッドホンユニットからの振動によってヘッドバンドの棒状部材が振動するという問題が一例として挙げられる。
ヘッドバンドの棒状部材の振動は、互いに反対のチャンネルのヘッドホンユニット側に伝搬し、不要な音として使用者の耳に届いてしまう。ヘッドバンドの棒状部材が金属の場合は特に不要な振動が著しい。
しかも、ヘッドバンドの棒状部材が弧形状をしているので、同じ太さで同じ材料ならば、その長さが長ければ長いほど振動の振幅がより大きく、より低音域で不要な振動をすることになる。
【０００６】
本発明は、このような問題点などに鑑みて、不要な振動を少なくすることができるヘッドホン装置を提供することを一つの目的とする。
【課題を解決するための手段】
【０００７】
請求項１に記載の発明は、音を放音する２つの放音部と、前記２つの放音部を支持し複数の弧状部材を有するヘッドバンドと、を備え、前記弧状部材を互いに連結する制振部材が前記弧状部材の両端部の間に複数個配置されていることを特徴とするヘッドホン装置である。
【図面の簡単な説明】
【０００８】
【図１】本発明の一実施形態にかかるヘッドホン装置の斜視図であり、制振部材が２個の場合を示す。
【図２】制振部材が３個の場合を示すヘッドホン装置の斜視図。
【図３】制振部材が４個の場合を示すヘッドホン装置の斜視図。
【図４】（Ａ）〜（Ｃ）は、それぞれ制振部材を示す斜視図。
【図５】本実施形態の実験結果を示すグラフ。
【発明を実施するための形態】
【０００９】
［ヘッドホン装置の概略構成］
本発明の一実施形態を図面に基づいて説明する。
本実施形態のヘッドホン装置の一例を図１から図４に基づいて説明する。図１は、ヘッドホン装置の全体構成を示すものであり、後述する制振部材が２個の場合である。
図１において、ヘッドホン装置１は、音を放音する２つの放音部２と、これらの放音部２を支持するヘッドバンド３と、を備えている。
放音部２は、皿状のハウジング２１と、ハウジング２１の内部に収納された図示しない小型スピーカと、ハウジング２１の使用者の側頭部側となる放音面に取り付けられたパッド２２とを備えて構成されている。なお、パッド２２には、耳へ接触した際のフィット感を高めるために、クッション性を有する材料、たとえば、低反発ウレタンなどからなる素材が使用される。
【００１０】
一対のハウジング２１は、それぞれ逆Ｕ字形状の連結部材２３を備えている。連結部材２３は、ヘッドバンド３の両側の端部材３０に連結されている。
ハウジング２１には、音響機器（例えば、ＣＤプレーヤーやＤＶＤプレーヤーなど）のヘッドホン接続端子に接続する図示しない入力コードが取り付けられている。音響機器から出力された音声信号は、入力コードを介して一方のハウジング２１内の小型スピーカに入力される。また、入力コードに出力された音声出力は、ヘッドバンド３に設けられた図示しない信号線を介して、他方のハウジング２１の小型スピーカに入力される。
【００１１】
ヘッドバンド３は、放音部２を支持するものであり、２つの放音部２にそれぞれ連結された端部材３０と、これらの端部材３０にそれぞれ両端が連結された２本の弧状部材３１とを有する。なお、図１では、弧状部材３１が２本の例を示しているが、本実施形態では、弧状部材３１を３本以上の複数としてもよい。
双方の端部材３０には、使用者の頭頂部に接するバンド４の両端部がそれぞれ取り付けられている。
バンド４は、伸縮自在な構造であり、たとえば、合成樹脂から製造された連結ベルトを備えた構成でもよく、または、伸縮性のある生地から帯状に形成された構成でもよい。
【００１２】
［弧状部材の構成］
弧状部材３１は、弾性を有する金属製または合成樹脂製の中空の板状部材であって、逆Ｕ字状に形成されている。弧状部材３１の弧の長さＬは、その具体的な数値が限定されるものではないが、例えば、１２０ｍｍから１８０ｍｍとすることができる。
複数の弧状部材３１は、同一形状である。
［制振部材の設置位置］
図１において、制振部材５は、弧状部材３１の長さを弧の長さに沿って３つに分割する点Ｐを含んで配置されている。この場合、弧状部材３１の端部から分割する点Ｐまでの弧の長さは、Ｌ／３であり、隣合う分割する点Ｐの弧の長さに沿った寸法はＬ／３である。
制振部材５は、その弧状部材３１の弧の長さ方向に沿った中心位置が分割する点Ｐに一致することが望ましいが、弧の長さ方向に沿った部分に分割する点Ｐが含まれるのであれば、設置位置の誤差は許容される。
なお、図１の例では、弧状部材３１の弧の長さＬが１６０ｍｍである場合、３つの制振部材５のうち弧状部材３１の両端部に近接する２つの制振部材５は、その中心が弧状部材３１の端部から弧の長さが６０．３ｍｍ以上４０．３ｍｍ以下の間に位置する。
【００１３】
図２には、制振部材５が３個の場合が示され、図３には、制振部材５が４個の場合が示されている。
図２から図３で示されるヘッドホン装置１は、制振部材５の個数と弧状部材３１への取付位置とが図１で示されるヘッドホン装置１と異なるもので、他の構成は図１で示されるヘッドホン装置１と同じである。
【００１４】
図２において、３つの制振部材５は、それぞれ弧状部材３１の長さを弧の長さに沿って４つに分割する点Ｐを含んで配置されている。この場合、弧状部材３１の端部から分割する点Ｐまでの弧の長さは、Ｌ／４であり、隣合う分割する点Ｐの弧の長さに沿った寸法はＬ／４である。
図３において、４つの制振部材５は、それぞれ弧状部材３１の長さを弧の長さに沿って５つに分割する点Ｐを含んで配置されている。この場合、弧状部材３１の端部から分割する点Ｐまでの弧の長さは、Ｌ／５であり、隣合う分割する点Ｐの弧の長さに沿った寸法はＬ／５である。
【００１５】
［制振部材の構成］
図４（Ａ）、図４（Ｂ）および図４（Ｃ）には、形状の異なる制振部材５がそれぞれ示されている。
図４（Ａ）において、制振部材５は、２本の弧状部材３１が貫通する略直方体の制振材本体５０を備えている。制振材本体５０は、合成ゴム、天然ゴム、または、その他の弾性体から形成されている。なお、略直方体とは、厳密な意味で直方体に限定されるものではなく、角部が湾曲された形状や平面が若干湾曲した形状などが含まれる。
制振材本体５０は、２本の弧状部材３１が並んで配置される端面５０Ａと、端面５０Ａと直交する平面５０Ｂおよび底面５０Ｃと、端面５０Ａ、平面５０Ｂおよび底面５０Ｃと直交する側面５０Ｄとを有する。平面５０Ｂおよび底面５０Ｃは、それぞれ長方形であり、その長辺、つまり２本の弧状部材３１が並ぶ方向に延びる辺Ａが２本の弧状部材３１の平面視での長手方向Ｂに対して直角とされている。２本の弧状部材３１は互いに平行であり、各々が板状である。なお、２本の弧状部材３１の形状は、板状の他に棒状、パイプ状であってもよい。
【００１６】
制振材本体５０は、２本の弧状部材３１がそれぞれ貫通する孔部５０Ｅが形成されている。孔部５０Ｅの内周面と弧状部材３１の表面とは互いに密着している。
孔部５０Ｅから側面５０Ｄに向けて切込５０Ｆが形成されている。切込５０Ｆを境に制振材本体５０の端部を弾性力に抗して互いに離れるように口開きをし、その状態で、孔部５０Ｅに弧状部材３１を挿入する。弧状部材３１が孔部５０Ｅに挿入された後では、制振材本体５０は、その弾性力によって口開きされた端部が互いに当接されるため、弧状部材３１が孔部５０Ｅから誤って抜けることがない。
図１から図３で示される制振部材５では、図４（Ａ）に示される通り、弧状部材３１の長手方向Ｂの中心位置Ｑが分割する点Ｐに対して一致していることが好ましいが、分割する点Ｐと中心位置Ｑとの間に弧状部材３１の長手方向Ｂの寸法Ｍがあってもよい。この寸法Ｍは、弧状部材３１の弧の長さＬの±（１/16）以内である。
【００１７】
図４（Ｂ）に示される制振部材５は、孔部５０Ｅおよび切込５０Ｆに代えてＵ字状の係止溝５０Ｇが制振材本体５０に設けられた点が図４（Ａ）の制振部材５と異なるものであり、その他の構成は図４（Ａ）の制振部材５と同じである。
図４（Ｂ）において、係止溝５０Ｇは、側面５０Ｄに開口されており、Ｕ字状の形状が長手方向Ｂに沿って形成されている。側面５０Ｄの開口から挿入された弧状部材３１は、係止溝５０Ｇの湾曲底部に係止される。係止溝５０Ｇの湾曲底部と弧状部材３１の表面とは密接している。なお、図４（Ｂ）の例では、弧状部材３１が係止された係止溝５０Ｇに図示しない封止部材（例えば、接着剤、ゴム栓など）を嵌合し、弧状部材３１の抜け止めを図る構成としてもよい。
【００１８】
図４（Ｃ）に示される制振部材５は、２枚の板状部材５１を重ね合わせて制振材本体５０を構成する点が図４（Ａ）の制振部材５と異なるもので、その他の構成は図４（Ａ）の制振部材５と同じである。
図４（Ｃ）において、板状部材５１の互いに対向する面には円弧状凹部５１Ａがそれぞれ形成されている。これらの円弧状凹部５１Ａが組み合わされて孔部５０Ｅが構成されている。
２枚の板状部材５１は、弧状部材３１を孔部５０Ｅに挿入した後に互いに接着剤などで接合する。接着剤などを用いる代わりに、クリップ５２で２枚の板状部材５１を互いに接合するものとしてもよい。
【００１９】
［実験例］
ヘッドホン装置１の効果を確認するための実験例を図５に基づいて説明する。
この実験例では、ヘッドホン装置１を人形の頭部に装着し、一方の放音部２をインパクトハンマーで叩く。この際、インパクトハンマーで叩く部分にピックアップを装着し、このピックアップで受信した信号に基づいて、振動の振幅と時間との関係をグラフにする。この実験を、制振部材がない従来例、制振部材５が１個の場合、２個の場合、３個の場合、４個の場合についてそれぞれ行う。
【００２０】
これらの実験結果を示すグラフが図５に示されている。図５において、符号Ｓで示す円形の部分は、振幅が収束した所定値となった位置を示す。
図５に示される通り、制振部材がない場合には、振幅が所定値に収束する時間は、７０ｍｓである。これに対して、制振部材５が１個の場合には、振幅が所定値に収束する時間は、５０ｍｓである。制振部材５が２個の場合には、振幅が所定値に収束する時間は、３５ｍｓである。制振部材５が３個の場合には、振幅が所定値に収束する時間は、３２ｍｓであり、制振部材５が４個の場合には、振幅が所定値に収束する時間は、制振部材５が３個の場合に比べて若干短い。
【００２１】
以上の実験結果から、制振部材５があるヘッドホン装置１は、制振部材５のないヘッドホン装置に比べて、振動を与えた後に振幅が所定値に収束する時間が短い。制振部材５のあるヘッドホン装置１は、制振部材５の数が多いほど、振動を与えた後に振幅が所定値に収束する時間が短くなる。ただし、制振部材５の数が２個の場合と、３個以上の場合とでは、振動を与えた後の振幅収束する時間の相違があまりみられない。
【００２２】
［実施形態の効果］
（１）２つの放音部２と、２つの放音部２を支持し複数の弧状部材３１を有するヘッドバンド３とを備え、ヘッドバンド３には、複数の弧状部材３１を互いに連結する制振部材５が弧状部材３１の両端部の間に複数個配置されている。そのため、放音部２からの振動によって２本の弧状部材３１が振動しようとするが、これらの弧状部材３１の不要振動は、制振部材５によって相殺し合うから、不要な振動を少なくすることができる。したがって、不要な音が使用者に届きにくいヘッドホン装置１を提供することができる。
【００２３】
（２）制振部材５は弾性体を有するため、弾性体の有する大きな制振作用によって、弧状部材３１の不要振動を効果的に減少させることができる。
【００２４】
（３）弾性体は、合成ゴムまたは天然ゴムとすれば、弾性体を容易に製造することができる。そのため、制振部材５の製造コストを下げることが可能となる。
【００２５】
（４）制振部材５は、複数の弧状部材３１が設けられる略直方体状の制振材本体５０を備え、制振材本体５０は、複数の弧状部材３１が配置される端面５０Ａ、端面５０Ａと直交する略矩形の平面５０Ｂを有し、平面５０Ｂは、複数の弧状部材３１の長手方向Ｂに対して直角である。つまり、複数の弧状部材３１の平面視での長手方向Ｂと制振材本体５０の端面５０Ａの辺Ａとが直交しているため、隣合う弧状部材３１の振動を制振部材５で効率的に吸収し、制振効果を高めることができる。
【００２６】
（５）制振部材５の数が多くなると、制振効果が高くなるが、３個以上となると、２個の場合と制振効果があまり変わらない。制振部材５の数が多すぎると、制振部材５を設置するためのコストが高いものとなる。そのため、本実施形態では、制振部材５の数は、２個、３個が好ましく、２個がより好ましい。
【００２７】
（７）制振部材５は、弧状部材３１の長さをＮ（Ｎは３以上の整数）分割する点Ｐを含んで配置されている。弧状部材３１の分割する点Ｐは、振動の大きな点であるため、この点に制振部材５を配置することで、効率的な制振効果を得ることができる。
【００２８】
（８）制振部材５を弧状部材３１の長さをＮ（Ｎは３または４）分割する点Ｐから当該弧の長さＬの±１/16  以内となるように配置した。つまり、制振部材５が２個や３個の場合に、制振部材５の中心が弧状部材３１の長さを弧の長さに沿って３分割する点Ｐから当該弧の長さＬの±１/16  以内となるように配置したので、制振効果を得ることができるとともに制振部材５の設置誤差を許容できる。そのため、制振部材５の弧状部材３１への設置作業が容易となる。
【００２９】
（９）制振部材５が２個配置される場合、制振部材５は、弧状部材３１の端部から６０．３ｍｍ以上４０．３ｍｍ以下の間の位置に配置されているので、この点からも、制振効果を得ることができるとともに制振部材５の設置誤差を許容できる。そのため、制振部材５の弧状部材３１への設置作業が容易となる。
【００３０】
（１０）制振部材５と弧状部材３１の表面とが密着しているので、弧状部材３１の振動を確実に制振部材５で吸収することができる。
【００３１】
（１１）弧状部材３１の数を２本とすると、３本以上とした場合に比べて、ヘッドホン装置１の構造を簡易なものにできる。
（１２）弧状部材３１は板状であるため、弧状部材３１の軸回りに制振部材５が回動することがない。そのため、弧状部材３１の振動を弧状部材３１で効率的に抑えることができる。
【００３２】
［変形例］
なお、本発明は前述の一実施形態に限定されるものではなく、本発明の目的を達成できる範囲での変形、改良などは本発明に含まれるものである。
例えば、前記実施形態では、制振材本体５０を直方体状としたが、本発明では、制振材本体５０の形状は限定されるものではなく、複数の弧状部材３１が貫通する構造であれば、具体的な形状は問われない。例えば、制振材本体５０を球状や円柱状としてもよい。
また、前記実施形態では、制振部材５と弧状部材３１の表面とが密着した構成としたが、本発明では、制振部材５と弧状部材３１との間に筒状のスペーサを介装する構成としてもよい。
【符号の説明】
【００３３】
１…ヘッドホン装置、２…放音部、３…ヘッドバンド、５…制振部材、５０…制振材本体、５０Ａ…端面、５０Ｂ…平面、５０Ｅ…孔部、Ｐ…分割する点
【図１】
0006484039.tif 000002
【図２】
0006484039.tif 000003
【図３】
0006484039.tif 000004
【図４】
0006484039.tif 000005
【図５】
0006484039.tif 000006